(57)【要約】【課題】サーモカップルハーネスがコンロ本体内で張り出して作業中に引っ掛からないようにする。【解決手段】サーモカップル２側に接続されているサーモカップルハーネス４ａと、制御装置６側に接続されているサーモカップルハーネス４ｂとを接続した一対の端子３ａ、３ｂ近傍のサーモカップルハーネス４ａを、電磁安全弁ユニット９のカプラ９ａに一体に形成した係止手段２６で係止することにより、サーモカップルハーネス４ａ、４ｂの端子３ａ、３ｂ付近がコンロ本体５内で張り出して組立て時やメンテナンスなどの作業中に引っ掛かることを防止することができる。【選択図】      図１
2004245555.tif 000002
【特許請求の範囲】
【請求項１】
コンロ本体内に設置されるガスバーナと、前記ガスバーナの炎孔近傍に設けられ、前記ガスバーナの炎の有無を検知するサーモカップルと、前記サーモカップルから入力される炎検知信号に基づいて前記ガスバーナへのガス供給路を電気的に開閉する開閉弁ユニットにリード線を介して信号を出力する制御装置と、前記サーモカップルと前記制御装置との間を接続する、端子で接続されたサーモカップルハーネスと、を備えたガスコンロにおいて、
前記端子又は該端子近傍の前記サーモカップルハーネスを係止する係止手段を、前記開閉弁ユニットに設けた、
ことを特徴とするガスコンロ。
【請求項２】
コンロ本体内に設置されるガスバーナと、前記ガスバーナの炎孔近傍に設けられ、前記ガスバーナの炎の有無を検知するサーモカップルと、前記サーモカップルから入力される炎検知信号に基づいて前記ガスバーナへのガス供給路を電気的に開閉する開閉弁ユニットにリード線を介して信号を出力する制御装置と、前記サーモカップルと前記制御装置との間を接続する、端子で接続されたサーモカップルハーネスと、を備えたガスコンロにおいて、
前記端子近傍の前記サーモカップルハーネスを係止する係止手段を、前記開閉弁ユニットに設けた、
ことを特徴とするガスコンロ。
【請求項３】
前記係止手段は、前記サーモカップルハーネスを係止するために導く入口部と、前記入口部を通して導入される前記サーモカップルハーネスを係止する係止部とを有し、
前記係止部内の大きさは、前記端子が通過できない大きさである、
ことを特徴とする請求項２に記載のガスコンロ。
【請求項４】
前記開閉弁ユニットの前記リード線の端子部と接続される樹脂製のカプラに、前記係止手段を一体的に形成する、
ことを特徴とする請求項１乃至３のいずれか１項に記載のガスコンロ。
【請求項５】
コンロ本体内に設置されるガスバーナと、前記ガスバーナの炎孔近傍に設けられ、前記ガスバーナの炎の有無を検知するサーモカップルと、前記サーモカップルから入力される炎検知信号に基づいて前記ガスバーナへのガス供給路を電気的に開閉する開閉弁ユニットにリード線を介して信号を出力する制御装置と、前記サーモカップルと前記制御装置との間を接続する、端子で接続されたサーモカップルハーネスと、を備えたガスコンロにおいて、
前記端子又は該端子近傍の前記サーモカップルハーネスを係止する係止手段を、前記リード線の前記開閉弁ユニットに接続される端子部に設けた、
ことを特徴とするガスコンロ。
【請求項６】
前記コンロ本体内で前記開閉弁ユニットの上方に位置するようにして汁よけ板を設けた、
ことを特徴とする請求項１乃至５のいずれか１項に記載のガスコンロ。
【発明の詳細な説明】
【０００１】
【発明の属する技術分野】
本発明は、ガスコンロに関し、特にサーモカップルハーネスの途中を連結する端子を備えたガスコンロに関する。
【０００２】
【従来の技術】
ガスコンロなどのガス器具では、ガスバーナにサーモカップル（熱電対）が設置されており、ガスバーナが点火されると、その熱でサーモカップルに発生した起電力でガスの供給路を開閉する電磁安全弁ユニットが開弁状態に保持され、ガスが供給される（例えば、特許文献１参照。）。
【０００３】
また、ガスバーナの火が消えると、サーモカップルに発生した起電力が所定値以下になることによって、電磁安全弁ユニットが閉弁状態となり、ガスの供給が停止される。従って、ガスバーナの炎が何らかの理由で消えた場合において、電磁安全弁ユニットが閉弁状態となり、ガスの供給が停止される。
【０００４】
また、近年では、ガスコンロなどのガス器具のマイコン制御化に伴い、例えば図９に示すように、ガスバーナ１の炎孔１ａ近傍に配置したサーモカップル（熱電対）２は、サーモカップルハーネス４ａ、４ｂを介してコンロ本体５内に取付けたマイコンの制御装置６に接続されている。サーモカップル２と制御装置６との間を連結するサーモカップルハーネス４ａ、４ｂは、ガスコンロの組立て作業性やメンテナンスのサービス性を考慮して、一対の端子３ａ、３ｂによって着脱自在に連結されている。
【０００５】
制御装置６に接続したリード線７の端子部７ａは、ガス供給管３４に接続したガス制御装置２３の電磁安全弁ユニット９のカプラ９ａに接続されている。ガスバーナ１は、導管８に接続されたガス制御装置２３を介して供給管３４に接続されている。
【０００６】
制御装置６は、ガスバーナ１の燃焼時にサーモカップル２から端子３ａ、３ｂで接続したサーモカップルハーネス４ａ、４ｂを通して入力される炎有りの電気信号（起電力）により、リード線７を通して電磁安全弁ユニット９に信号（吸着電流）を出力し、電磁安全弁ユニット９の開弁状態を維持する。また、ガスバーナ１の炎が何らかの理由で消えた場合には、サーモカップル２から電気信号（起電力）が出力されず、電磁安全弁ユニット９は閉弁状態となる。
【０００７】
なお、図９において、１０は天板１１上に載置した五徳、１２はカウンタートップ、１３は汁よけ板、１７は温度センサである。
【０００８】
【特許文献１】
実開昭６２−４５５５２号公報（第１図）
【０００９】
【発明が解決しようとする課題】
ところで、上記した従来のガスコンロでは、炎孔１ａ近傍に設けられるサーモカップル２と、ガスバーナ１の熱影響を避けるためにガスバーナ１から離れた位置に置かれる制御装置６との間を接続する線材からなるサーモカップルハーネス４ａ、４ｂは長尺なものとなり、このサーモカップルハーネス４ａ、４ｂの、特に端子３ａ、３ｂ付近の中間部分がコンロ本体５内で張り出したりすると、メンテナンスなどの際に引っ掛かったりして邪魔になる。
【００１０】
そこで、組立て作業時には、サーモカップルハーネス４ａ、４ｂをメンテナンスなどで邪魔にならない位置に配置している。なお、サーモカップルハーネス４ａ、４ｂは、直径１．５ｍｍ程度の１本の鉄線と１本の銅線であるので変形自在であり、邪魔にならない位置に変形させて配置しているがフリーの状態にあるので、コンロ本体５内を開けて点検等を行った際などに、作業者の手や工具がサーモカップルハーネス４ａ、４ｂに引っ掛かったりしてずれてしまう場合がある。
【００１１】
サーモカップルハーネス４ａ、４ｂの位置がずれてしまうと、作業空間に出てきたりして作業がしづらくなり、好ましくなかった。
【００１２】
また、サーモカップルハーネス４ａ、４ｂの、特に端子３ａ、３ｂ付近の中間部分がコンロ本体５内で張り出すと、ガス調理時にコンロ本体５内へ煮こぼれ汁が落入した場合に、この煮こぼれ汁がコンロ本体５内で張り出した端子３ａ、３ｂに付着するおそれがあった。
【００１３】
そこで本発明は、サーモカップルハーネスがコンロ本体内で張り出して作業中に引っ掛かったりしないようにすることができるガスコンロを提供することを目的とする。また、サーモカップルハーネスの途中を連結する端子を煮こぼれ汁などが付着しない位置に係止することができるガスコンロを提供することを目的とする。
【００１４】
【課題を解決するための手段】
上記課題を解決するために請求項１に記載の発明は、コンロ本体内に設置されるガスバーナと、前記ガスバーナの炎孔近傍に設けられ、前記ガスバーナの炎の有無を検知するサーモカップルと、前記サーモカップルから入力される炎検知信号に基づいて前記ガスバーナへのガス供給路を電気的に開閉する開閉弁ユニットにリード線を介して信号を出力する制御装置と、前記サーモカップルと前記制御装置との間を接続する、端子で接続されたサーモカップルハーネスと、を備えたガスコンロにおいて、前記端子又は該端子近傍の前記サーモカップルハーネスを係止する係止手段を、前記開閉弁ユニットに設けたことを特徴としている。
【００１５】
また、請求項２に記載の発明は、コンロ本体内に設置されるガスバーナと、前記ガスバーナの炎孔近傍に設けられ、前記ガスバーナの炎の有無を検知するサーモカップルと、前記サーモカップルから入力される炎検知信号に基づいて前記ガスバーナへのガス供給路を電気的に開閉する開閉弁ユニットにリード線を介して信号を出力する制御装置と、前記サーモカップルと前記制御装置との間を接続する、端子で接続されたサーモカップルハーネスと、を備えたガスコンロにおいて、前記端子近傍の前記サーモカップルハーネスを係止する係止手段を、前記開閉弁ユニットに設けたことを特徴としている。
【００１６】
また、請求項５に記載の発明は、コンロ本体内に設置されるガスバーナと、前記ガスバーナの炎孔近傍に設けられ、前記ガスバーナの炎の有無を検知するサーモカップルと、前記サーモカップルから入力される炎検知信号に基づいて前記ガスバーナへのガス供給路を電気的に開閉する開閉弁ユニットにリード線を介して信号を出力する制御装置と、前記サーモカップルと前記制御装置との間を接続する、端子で接続されたサーモカップルハーネスと、を備えたガスコンロにおいて、前記端子又は該端子近傍の前記サーモカップルハーネスを係止する係止手段を、前記リード線の前記開閉弁ユニットに接続される端子部に設けたことを特徴としている。
【００１７】
【発明の実施の形態】
以下、本発明を図示の実施の形態に基づいて説明する。
【００１８】
〈実施の形態１〉
図１は、本発明の実施の形態１に係るガスコンロを示す概略断面図である。なお、図９に示した従来のガスコンロと同一機能を有する部材には同一符号を付して説明する。
【００１９】
本実施の形態に係るガスコンロ３０のコンロ本体５は、カウンタートップ１２の開口周縁にフランジ部１４により吊時され、コンロ本体５の上面開口部１６は、ガスバーナ１、１５が臨む円形状の開口１１ａ、１１ｂが形成された天板１１により覆われている。なお、本実施の形態ではガスバーナ１側のみについて説明する。ガスバーナ１５側の構成も基本的にガスバーナ１と同様である。
【００２０】
ガスバーナ１のバーナキャップ１ｂの内側には、先端側がバーナキャップ１ｂの先端から突出するようにして上下動自在な温度センサ１７が配置されている。また、ガスバーナ１には、先端が炎孔１ａに近接して炎孔１ａの炎の有無を検知するサーモカップル（熱電対）２が設置されている。なお、１８は点火電極、１０と１９は五徳である。
【００２１】
ガスバーナ１は、導管８とガス流量制御装置２３を介してガス供給管３４に接続されている。ガス流量制御装置２３には、図１、図２に示すように、ガスバーナ１の燃焼時にサーモカップル（熱電対）２から出力される炎有りの電気信号（起電力）に基づいて弁体９ｂを開弁状態に維持する開閉弁ユニットとしての電磁安全弁ユニット９と、元弁２１と、ガスバーナ１へのガス供給量を調整する流量調整弁２２が組み込まれている。
【００２２】
１３は汁よけ板であり、ガス調理時に生じた煮汁がコンロ本体５内へ落入、特にガスバーナ１と開口１１ａとの隙間より落入して、煮汁がガス流量制御装置２３にかからないようにガス流量制御装置２３を覆うように設けられている。特に、電磁安全弁ユニット９端部のカプラ９ａ近傍が、汁よけ板１３の中心付近の下方に位置するようにしている。これにより、煮こぼれ汁などがコンロ本体５内にこぼれても、汁よけ板１３の下方に設置されているガス流量制御装置２３に煮こぼれ汁が付着することはない。
【００２３】
ガス流量制御装置２３の前端側（図１、図２の左側）には、点火／消火ボタン２４の背面に当接する、バネ３３で前方（図２の左側）に付勢される可動子３２が設けられており、可動子３２に押されるロッド３１をガス流量制御装置２３内の長手方向に沿って配置して、ロッド３１の可動子３２と反対側の先端を電磁安全弁ユニット９の弁体９ｂに対向させると共に、ロッド３１の中間部に元弁２１の弁体２１ａを配置している。なお、図２では、可動子３２が点火／消火ボタン２４で押されている状態を示している。
【００２４】
可動子３２は、ガス流量制御装置２３に設けたプッシュプッシュ機構２０のカム機構（不図示）により後方の押切り終端位置からの復帰動作が中間位置で係止されるように構成されている。なお、プッシュプッシュ機構２０のカム機構（不図示）としては、例えば特公平１−５９４９８号公報に開示されている従来公知のいわゆるハートカム式のものを用いることができる。
【００２５】
サーモカップル２は、一対の端子３ａ、３ｂによって着脱自在に連結された線材からなるサーモカップルハーネス４ａ、４ｂを介して制御装置６に接続されている。また、電磁安全弁ユニット９端部のカプラ９ａには、一端側が制御装置６に接続されたリード線７の端子部７ａが接続されている。電磁安全弁ユニット９の外側に露出しているカプラ９ａは樹脂によって形成されており、アルミダイカスト製のガス流量制御装置２３にビス止めされている。
【００２６】
上記構成のガスコンロ３０において、点火／消火ボタン２４を使用者が押すと、可動子３２を介してロッド３１が後方（図２の右側）に押動され、元弁２１が開弁されると共に電磁安全弁ユニット９の弁体９ｂが開弁され、点火電極１８によりガスバーナ１の炎孔１ａに点火される。
【００２７】
この際、加熱されたサーモカップル２で起電力が発生し、この起電力はサーモカップルハーネス４ａ、端子３ａ、３ｂ、サーモカップルハーネス４ｂを介して制御装置６に入力される。制御装置６は、入力される炎有信号（起電力）に基づいて電磁安全弁ユニット９にリード線７を介して開信号（吸着電流）を出力し、電磁安全弁ユニット９の弁体９ｂを開弁状態に保持する。なお、流量調整レバー２５を移動操作することによって供給ガス量を調整して、所望の火力に調整する。
【００２８】
そして、点火／消火ボタン２４を再度押し操作することによって、点火／消火ボタン２４が元の位置に後退して元弁２１の弁体２１ａが閉弁されることによって、ガスバーナ１の炎孔１ａの炎が消火される。炎孔１ａの炎が消火されると、サーモカップル２から電気信号（起電力）が出力されず、制御装置６から吸着電流が出力されないので、電磁安全弁ユニット９の弁体９ｂが閉弁状態となる。また、炎が何らかの理由で消えた場合においても、同様にサーモカップル２に発生した起電力が所定値以下になることによって電磁安全弁ユニット９の弁体９ｂが閉弁状態となり、ガスの供給が停止される。
【００２９】
ところで、サーモカップル２側のサーモカップルハーネス４ａと、制御装置６側のサーモカップルハーネス４ｂは、端子３ａ、３ｂで接続されている。そして、本実施の形態では、図３に示すように、電磁安全弁ユニット９端部の樹脂からなるカプラ９ａと一体に係止手段２６を形成し、サーモカップル２に接続されるサーモカップルハーネス４ａにおいて、端子３ａ近傍のサーモカップルハーネス４ａをこの係止手段２６で係止するようにした。
【００３０】
係止手段２６は、図３、図４に示すように、カプラ９の上部面に一体に形成されており、上部に入口部２６ａを有する円筒状の係止部２６ｂが形成されている。係止手段２６の係止部２６ｂの内径は、線状のサーモカップルハーネス４ａの外径よりも大きいが、端子３ａの外径より小さい。よって、サーモカップルハーネス４ａは円筒状の係止部２６ｂ内を移動しても、端子３ａは円筒状の係止部２６ｂを通過することができない。
【００３１】
そして、図５に示すサーモカップル２側に接続されているサーモカップルハーネス４ａと、制御装置６側に接続されているサーモカップルハーネス４ｂとを接続した一対の端子３ａ、３ｂ近傍のサーモカップルハーネス４ａを、電磁安全弁ユニット９のカプラ９ａに一体に形成した係止手段２６の入口部２６ａから円筒状の係止部２６ｂに入れて係止する。
【００３２】
樹脂からなる係止手段２６の入口部２６ａは通常時は閉じているが、その弾性力によってサーモカップルハーネス４ａを入れるときには弾性変形して開き、係止部２６ｂに入れて係止することができる。係止部２６ｂに入ったサーモカップルハーネス４ａは、入口部２６ａが閉じているので作業者が取り外さない限り外れることはない。
【００３３】
端子３ａ近傍のサーモカップルハーネス４ａを、電磁安全弁ユニット９のカプラ９ａに一体に形成した係止手段２６で係止することにより、サーモカップルハーネス４ａ、４ｂの、特に一対の端子３ａ、３ｂ付近の中間部分を確実に且つ容易にガス流量制御装置２３上に係止することができる。なお、サーモカップルハーネス４ａは細い線材（鉄線と銅線）で形成されているので、係止手段２６の係止部２６ｂ内を移動可能であるが、外径の大きい端子３ａは係止手段２６の係止部２６ｂを通過することができないので、サーモカップルハーネス４ａはそれ以上引き出されることはない。
【００３４】
そして、上記したように、電磁安全弁ユニット９のカプラ９ａとリード線７の端子部７ａの接続部近傍を含むガス流量制御装置２３の上方には、上方からの煮こぼれ汁による汚損を防ぐための汁よけ板１３を設けていることにより、一対の端子３ａ、３ｂを、汁よけ板１３の下方に確実に組付けることができるので、サーモカップルハーネス４ａ、４ｂを接続した端子３ａ、３ｂを、常に煮こぼれ汁などが付着しない汁よけ板１３の下方に係止して設置することができる。
【００３５】
また、係止手段２６を電磁安全弁ユニット９のカプラ９ａに一体に形成したことにより、別パーツを増やすこともないので、コストアップを抑えることができる。
【００３６】
また、サーモカップルハーネス４ａを係止手段２６の上部に形成した入口部２６ａに上方から入れて係止することにより、サーモカップルハーネス４ａを係止するための作業性もよい。
【００３７】
このように上記した本実施の形態では、線状のサーモカップルハーネス４ａは係止手段２６の係止部２６ｂ内で移動可能状態でも、サーモカップルハーネス４ａを端子３ａ近傍で係止しているので、端子３ａが係止手段２６に当接することによってサーモカップルハーネス４ａの移動が防止され、それ以上引き出されることがないと共に、端子３ａ、３ｂを常に煮こぼれ汁などが付着しない汁よけ板１３の下方に位置させることができる。よって、サーモカップルハーネス４ａがコンロ本体５内で張り出してメンテナンスなどの作業中に引っ掛かることが防止され、作業性の向上を図ることができる。
【００３８】
〈実施の形態２〉
図６は、本実施の形態における電磁安全弁ユニット端部のカプラに一体に形成した係止手段を示す概略斜視図である。係止手段以外の構成は図１に示した実施の形態１と同様であり、本実施の形態ではそれらの説明は省略する。
【００３９】
本実施の形態における樹脂からなる係止手段２７は、図６、図７に示すように、電磁安全弁ユニット９端部のカプラ９ａの側面に一体に形成されており、係止手段２７の上片２７ａは、サーモカップルハーネス４ａを入れ易いように開いており、下部にはカプラ９ａとの間でサーモカップルハーネス４ａを係止するように断面が半円状の係止部２７ｂが形成されている。係止手段２７の上片２７ａと係止部２７ｂとの間の入口部２７ｃはカプラ９ａの側面に略接しており、係止手段２７の弾性力によってサーモカップルハーネス４ａを入れる際に、開いた後再び閉じて係止部２７ｂで係止することができる。
【００４０】
そして、接続された一対の端子３ａ、３ｂ近傍のサーモカップルハーネス４ａを、電磁安全弁ユニット９端部のカプラ９ａの側面に一体に形成した係止手段２７の上片２７ａと入口部２７ｃから係止部２７ｂに入れて係止する。
【００４１】
このように本実施の形態においても、端子３ａ近傍のサーモカップルハーネス４ａを、電磁安全弁ユニット９のカプラ９ａの側面に一体に形成した係止手段２７で係止することにより、サーモカップルハーネス４ａ、４ｂの、特に一対の端子３ａ、３ｂ付近の中間部分を確実に且つ容易にガス流量制御装置２３上に係止することができるので、サーモカップルハーネス４ａの、特に端子３ａ付近がコンロ本体５内で張り出してメンテナンスなどの作業中に引っ掛かることが防止され、作業性の向上を図ることができる。更に、端子３ａ、３ｂを常に煮こぼれ汁などが付着しない汁よけ板１３の下方に位置させることができる。
【００４２】
〈実施の形態３〉
図８は、本実施の形態における係止手段を示す概略斜視図である。係止手段以外の構成は図１に示した実施の形態１と同様であり、本実施の形態ではそれらの説明は省略する。
【００４３】
本実施の形態における係止手段３５は、電磁安全弁ユニット９端部のカプラ９ａに接続されるリード線７の樹脂からなる端子部７ａの外表面に一体に形成した構成である。係止手段３５には、実施の形態１と同様に上部に入口部３５ａを有する円筒状の係止部３５ｂが形成されている。
【００４４】
そして、接続された一対の端子近傍のサーモカップルハーネス４ａを、リード線７の端子部７ａの外表面に一体に形成した係止手段３５の入口部３５ａから係止部３５ｂに入れて係止する。
【００４５】
このように本実施の形態においても、端子３ａ近傍のサーモカップルハーネス４ａを、リード線７の端子部７ａの外表面に一体に形成した係止手段３５で係止することにより、サーモカップルハーネス４ａ、４ｂの、特に一対の端子３ａ、３ｂ付近の中間部分を確実に且つ容易にガス流量制御装置２３上に係止することができるので、サーモカップルハーネス４ａの、特に端子３ａ付近がコンロ本体５内で張り出してメンテナンスなどの作業中に引っ掛かることが防止され、作業性の向上を図ることができる。更に、端子３ａ、３ｂを常に煮こぼれ汁などが付着しない汁よけ板１３の下方に位置させることができる。
【００４６】
また、本実施の形態の場合においても、係止手段３５をリード線７の端子部７ａの側面に設けることもできる。
【００４７】
なお、上述した各実施の形態において、係止手段に係止されるサーモカップルハーネス４ａの代りに端子３ａを係止することもできるが、この場合は係止手段が大型化するので、上記のようにサーモカップルハーネス４ａを係止手段で係止するほうが、係止手段を小型化することができる。
【００４８】
また、上記係止手段として、上記した各実施の形態の構成以外にも、樹脂製のカプラ９ａや端子部７ａ、或いはアルミダイカスト製のガス流量制御装置２３に凸部Ｔを、例えば図２に破線で示すように一体的に形成し、端子３ａ、３ｂに該凸部が係合する凹部Ｈを、例えば図５に示すように形成した構成を採用することもできる。
【００４９】
更には、樹脂製のカプラ９ａや端子部７ａ、或いはアルミダイカスト製のガス流量制御装置２３に凹部を形成し、該凹部に係合する凸部を端子３ａ、３ｂに形成した構成を採用することもできる。
【００５０】
【発明の効果】
以上説明したように本発明によれば、端子又は該端子近傍のサーモカップルハーネスを開閉弁ユニット又はリード線の端子部に設けた係止手段に係止することにより、サーモカップルハーネスの、特に端子付近がコンロ本体内で張り出してメンテナンスなどの作業中に引っ掛かることが防止され、作業性の向上を図ることができる。また、開閉弁ユニットの上方に位置するようにして汁よけ板を設けたことにより、端子を常に煮こぼれ汁などが付着しない汁よけ板の下方に係止することができる。
【図面の簡単な説明】
【図１】本発明の実施の形態１に係るガスコンロを示す概略断面図。
【図２】本発明の実施の形態１に係るガスコンロのガス流量制御装置を示す概略断面図。
【図３】本発明の実施の形態１における電磁安全弁ユニットのカプラに一体に形成した係止手段を示す概略斜視図。
【図４】本発明の実施の形態１における電磁安全弁ユニットのカプラに一体に形成した係止手段を示す概略平面図。
【図５】一対の端子同士の接続を示す図。
【図６】本発明の実施の形態２における電磁安全弁ユニットのカプラに一体に形成した係止手段を示す概略斜視図。
【図７】本発明の実施の形態２における電磁安全弁ユニットのカプラに一体に形成した係止手段を示す概略平面図。
【図８】本発明の実施の形態３における信号線の端子部の外表面に一体に形成した係止手段を示す概略斜視図。
【図９】従来例におけるガスコンロを示す概略断面図。
【符号の説明】
１        ガスバーナ
２        サーモカップル
３ａ、３ｂ        一対の端子
４ａ、４ｂ        サーモカップルハーネス
５        コンロ本体
６        制御装置
７        リード線
７ａ      端子部
８        導管
９        電磁安全弁ユニット（開閉弁ユニット）
９ａ      カプラ
１０      五徳
１１      天板
１３      汁よけ板
２０      プッシュプッシュ機構
２１      元弁
２２      流量調整弁
２３      ガス流量制御装置
２６、２７、３５      係止手段
３０      ガスコンロ
３４      ガス供給管
【図１】
2004245555.tif 000003
【図２】
2004245555.tif 000004
【図３】
2004245555.tif 000005
【図４】
2004245555.tif 000006
【図５】
2004245555.tif 000007
【図６】
2004245555.tif 000008
【図７】
2004245555.tif 000009
【図８】
2004245555.tif 000010
【図９】
2004245555.tif 000011